(57)【要約】【課題】携帯機器の制御情報をＦＭ多重放送受信装置の比較的大きな表示デバイスで見せることができ、かつ、その制御情報に対応した表示または動作を行わせる。【解決手段】携帯機器用無線通信装置２は、携帯機器１から出力された携帯機器用フォーマットに準拠した音声信号とコマンドデータとを取得し、コンドデータを自身の放送用フォーマットの未定義コマンド領域に割り当てたコマンドに変換し、放送用フォーマットにエンコードし、音声信号とエンコードデータとを合成してＦＭ変調を行い、ＦＭ多重放送受信装置３へ送信し、ＦＭ多重放送受信装置３の表示デバイスに表示する。【選択図】図１
2008017326.tif 000002
【特許請求の範囲】
【請求項１】
携帯機器から出力される携帯機器用フォーマットに準拠した音声信号とコマンドデータとを取得する第１のインタフェース手段と、
前記コマンドデータを自身の放送用フォーマットの未定義コマンド領域に割り当てたコマンドに変換して放送用フォーマットにエンコードする制御手段と、
前記音声信号と、前記制御手段により生成されるエンコードデータとを合成してＦＭ変調を行い、ＦＭ多重放送受信装置へ送信する第２のインタフェース手段と、
を備えたことを特徴とする携帯機器用無線通信装置。
【請求項２】
前記制御手段は、
混信があったときに操作される送信周波数変更指示手段から出力される情報に基づいて代替周波数を決定し、代替周波数に対して追従機能を持つ前記ＦＭ多重放送受信装置へ前記代替周波数データを、前記放送用のフォーマットに定義されたＥＯＮデータとして無線送信することを特徴とする請求項１記載の携帯機器用無線通信装置。
【請求項３】
前記第１のインタフェース手段は、
前記携帯機器とはコネクタを介して有線接続されることを特徴とする請求項１に記載の携帯機器用無線通信装置。
【請求項４】
前記第１のインタフェース手段は、
前記携帯機器とは近距離無線通信により接続されることを特徴とする請求項１に記載の携帯機器用無線通信装置。
【請求項５】
携帯機器本体と、
有線もしくは無線により接続され、
前記携帯機器本体から出力される携帯機器用フォーマットに準拠した音声信号とコマンドデータとを取得する第１のインタフェース手段と、前記コマンドデータを自身の放送用フォーマットの未定義コマンド領域に割り当てたコマンドに変換して、放送用フォーマットにエンコードする制御手段と、前記音声信号と、前記制御手段により生成されるエンコードデータとを合成してＦＭ変調を行い、ＦＭ多重放送受信装置へ送信する第２のインタフェース手段とから成る携帯機器用無線通信装置と、
を備えたことを特徴とする携帯機器。
【請求項６】
ＦＭ多重放送受信装置とは携帯機器用無線通信装置を介して接続される、ＦＭ多重放送受信装置における携帯機器制御情報の表示方法であって、
前記携帯機器用無線通信装置が、
有線もしくは無線接続される携帯機器本体から出力された携帯機器用フォーマットに準拠した音声信号とコマンドデータとを取得するステップと、
前記携帯機器用無線通信装置が、
前記コマンドデータを自身の放送用フォーマットの未定義コマンド領域に割り当てたコマンドに変換して放送用フォーマットにエンコードし、前記エンコードされ生成されるエンコードデータと前記音声信号とを合成してＦＭ変調を行い、前記ＦＭ多重放送受信装置へ送信するステップと、
前記ＦＭ多重放送受信装置が、
前記携帯機器用無線通信装置からＦＭ多重放送を受信し、前記ＦＭ多重放送に含まれる音声信号とエンコードデータとを分離し、前記分離された音声信号をスピーカへ出力するとともに前記分離されたエンコードデータをデコードするステップと、
前記デコードした結果テキストデータとコマンドデータを分離し、前記分離されたテキストデータを表示し、前記分離されたコマンドデータを前記コマンドデータに対応した表示もしくは動作を行うステップと、
を有することを特徴とするＦＭ多重放送受信装置における携帯機器制御情報の表示方法。
【請求項７】
前記携帯機器用無線通信装置が、
混信があったときに操作入力される信号に基づいて代替周波数データを決定し、前記代替周波数データを、前記放送用のフォーマットに定義されたＥＯＮデータとして、代替周波数に対して追従機能を持つ前記ＦＭ多重放送受信装置へ無線送信するステップ、
を有することを特徴とする請求項６記載のＦＭ多重放送受信装置における携帯機器制御情報の表示方法。
【発明の詳細な説明】
【技術分野】
【０００１】
この発明は、特に、ポータブルオーディオプレイヤを車載ラジオ受信機で視聴する用途に用いて好適な、携帯機器用無線通信装置、携帯機器、およびＦＭ多重放送受信装置における携帯機器コマンドデータの表示方法に関するものである。
【背景技術】
【０００２】
従来、オーディオプレイヤから出力される音声信号を、ＦＭ（Frequency Modulation）変調された電波を経由して車載ラジオ受信機に転送し、ワイヤレスで接続を実現するマウントアダプタに関する技術が知られている。
上記した技術によれば、音声信号の転送は可能であるが、ＰＬＡＹ、ＳＴＯＰ、ＳＥＥＫ ＵＰ／ＤＯＷＮ等の制御情報を含めて転送することができない。したがって、表示デバイスが見えにくい位置に配置されているか、比較的小さな表示デバイスしか持たない場合、ユーザは、そのオーディオプレイヤから情報を読み取りにくい状況にあった。
【０００３】
一方、楽曲タイトル情報などをＲＤＳ（Radio Data System）のテキスト送信フォーマットを利用し、ＲＤＳ対応の車載ラジオ受信機に送信して表示することで、上記した不都合を回避する技術が知られている（特許文献２、特許文献３参照）。
【０００４】
【特許文献１】特開平６−３０９８５４号公報
【特許文献２】特開平８−４６５３８号公報
【特許文献３】US Patent Application ２００５０２８６４８１号公報
【発明の開示】
【発明が解決しようとする課題】
【０００５】
しかしながら、上記した特許文献２、特許文献３に開示した技術によれば、車両運転中にポータブルオーディオプレイヤの制御情報を閲覧する状況を考えた場合、制御情報を文字データで表示している場合は、その文字を読むために表示画面を注視する必要があり、安全運転上、問題がある。また、その表示は楽曲情報等の文字情報に制限されるため、制御情報に対応した表示、あるいは、制御情報に対応して、ＰＬＡＹ、ＳＴＯＰ、ＳＥＥＫ ＵＰ／ＤＯＷＮ等を表現する動作を行わせることはできない。
【０００６】
更に、カーマウントアダプタによりＦＭ変調された電波（送信周波数）は、他の放送局の電波（近い周波数を持つ）と混信することが多々あり、ユーザは、上記した混信を回避するために、送信側のカーマウントアダプタと、受信側の車載ラジオ受信機の二つに対して周波数変更のための操作を行う必要があり、非常に煩わしく、特に運転中は、安全運転にも支障をきたすものであった。
【０００７】
この発明は上記した課題を解決するためになされたものであり、ポータブルオーディオプレイヤ等携帯機器の制御情報を、ＲＤＳ対応車載ラジオ受信機等、ＦＭ多重放送受信装置に表示することにより、携帯機器の制御情報をＦＭ多重放送受信装置の比較的大きな表示デバイスで見せることができ、かつ、その制御情報に対応した表示または動作を行わせることのできる、携帯機器用無線通信装置、携帯機器、およびＦＭ多重放送受信装置における携帯機器の制御情報の表示方法を得ることを目的とする。
【０００８】
また、ＲＤＳ対応車載ラジオ受信機等、ＦＭ多重放送受信装置が持つＡＦ（Alternative Frequency：代替周波数）機能や、ＥＯＮ（Enhanced Other Net：強化された他のネットワーク）機能を用いて受信周波数を制御することにより、カーマウントアダプタ等、携帯機器用無線通信装置の発振周波数に近い周波数にラジオ放送局の電波が存在する場合、携帯機器用無線通信装置の発振周波数を他の混信の無い周波数に変更するとともに、ＦＭ多重放送受信装置の受信周波数も追従して変更可能な、携帯機器用無線通信装置、携帯機器、およびＦＭ多重放送受信装置における携帯機器の制御情報の表示方法を得ることも目的とする。
【課題を解決するための手段】
【０００９】
この発明にかかわる携帯機器用無線通信装置は、携帯機器から出力される携帯機器用フォーマットに準拠した音声信号と操作コマンドとを取得する第１のインタフェース手段と、操作コマンドを自身の放送用フォーマットの未定義コマンド領域に割り当てコマンド変換して放送用フォーマットにエンコードする制御手段と、音声信号と、制御手段によりエンコードされたコマンドとを合成してＦＭ変調を行い、ＦＭ多重放送受信装置へ送信する第２のインタフェース手段と、を備えたものである。
【００１０】
この発明にかかわる携帯機器は、携帯機器本体と、有線もしくは無線により接続され、携帯機器本体から出力される携帯機器用フォーマットに準拠した音声信号とコマンドデータとを取得する第１のインタフェース手段と、コマンドデータを自身の放送用フォーマットの未定義コマンド領域に割り当てたコマンドに変換して、放送用フォーマットにエンコードする制御手段と、音声信号と制御手段により生成されるエンコードデータとを合成してＦＭ変調を行い、ＦＭ多重放送受信装置へ送信する第２のインタフェース手段とから成る携帯機器用無線通信装置と、を備えたものである。
【００１１】
この発明にかかわるＦＭ多重放送受信装置における携帯機器制御情報の表示方法は、携帯機器用無線通信装置が、有線もしくは無線接続される携帯機器本体から出力された携帯機器用フォーマットに準拠した音声信号とコマンドデータとを取得するステップと、携帯機器用無線通信装置が、コマンドデータを自身の放送用フォーマットの未定義コマンド領域に割り当てたコマンドに変換して放送用フォーマットにエンコードし、音声信号とエンコードデータとを合成してＦＭ変調を行い、ＦＭ多重放送受信装置へ送信するステップと、ＦＭ多重放送受信装置が、携帯機器用無線通信装置からＦＭ多重放送を受信し、ＦＭ多重放送に含まれる音声信号とエンコードデータとを分離し、分離した音声信号をスピーカへ出力するとともに、分離したエンコードデータをデコードするステップと、ＦＭ多重放送受信装置が、デコードした結果テキストデータとコマンドデータを分離し、分離されたテキストデータを表示し、分離されたコマンドデータを当該コマンドデータに対応した表示もしくは動作を行うステップと、を有するものである。
【発明の効果】
【００１２】
この発明によれば、携帯機器の制御情報をＦＭ多重放送受信装置に表示することにより、携帯機器の制御情報をＦＭ多重放送受信装置の比較的大きな表示デバイスで見せることができ、かつ、その制御情報に対応した表示または動作を行わせることができる。
また、ＦＭ多重放送受信装置が持つＡＦ機能や、ＥＯＮ機能を用いて受信周波数を制御することにより、携帯機器用無線通信装置の発振周波数に近い周波数にラジオ放送局の電波が存在する場合、携帯機器用無線通信装置の発振周波数を他の混信の無い周波数に変更するとともに、ＦＭ多重放送受信装置の受信周波数も追従して変更することができる。
【発明を実施するための最良の形態】
【００１３】
実施の形態１．
図１は、この発明の実施の形態１にかかわる携帯機器用無線通信装置の接続構成の一例を説明するために引用したブロック図である。
図１において、携帯機器用無線通信装置としてのワイヤレス通信ユニット２は、ボータブルオーディオ機器１とはコネクタを介して接続ケーブル４により有線接続されている。
【００１４】
また、ＦＭ多重放送受信装置としてのＲＤＳ対応車載ラジオ受信機３は、ワイヤレス通信ユニット２により生成される電波を受信して、ポータブルオーディオ機器１により出力される音声を再生し、あるいはインジケータ３０（ＰＬＡＹランプ、ＳＴＯＰランプ）の点灯や、ＬＣＤ(Liquid Crystal Display Device)等の表示デバイス３００に対して制御情報を表示する等、コマンドに対応した動作を行う。
なお、ワイヤレス通信ユニット２に設けられる送信周波数変更ボタン２０は、後述する代替周波数を設定する際、ユーザにより操作される。詳細は後述する。
【００１５】
図２は、この発明の実施の形態１にかかわる携帯機器用無線通信装置の全体構成を説明するために引用したブロック図である。
図２に示されるように、携帯機器用無線通信装置（ワイヤレス通信ユニット２）は、第１のインタフェース手段としての機器インタフェース部２１と、制御手段としての制御部２２と、第２のインタフェース手段としての受信機インタフェース部２３とにより構成される。なお、制御部２２を起動する送信周波数変更指示部２４は、上記した送信周波数変更ボタン２０が操作されることにより送信周波数変更指示信号を生成する。
【００１６】
機器インタフェース部２１は、ポータブルオーディオ機器１から出力される携帯機器用フォーマットに準拠した音声信号とコマンドデータとを取得して制御部２２へ出力する。また、制御部２２は、コマンドデータを自身の放送用フォーマットの未定義コマンド領域に割り当てたコマンドに変換して放送用フォーマットにエンコードし、受信機インタフェース部２３へ出力する。
受信機インタフェース部２３は、音声信号と、制御部２２により生成されるエンコードデータとを合成してＦＭ変調を行い、ＲＤＳ対応車載ラジオ受信機３へ送信する。
【００１７】
制御部２２は、コマンド変換部２２１と、フォーマットエンコード部２２２と、代替周波数設定部２２３とにより構成される。
コマンド変換部２２１は、機器インタフェース部２１により出力される。例えば、ポータブルオーディオ機器１に記録された楽曲データを再生する際に、ポータブルオーディオ機器１から出力される「再生中」「一時停止」といった楽曲の制御情報をＲＤＳ放送フォーマットの未定義コマンド領域に割り当て、ここで変換したコマンドをＲＤＳ放送フォーマットに準拠するようにエンコードして受信機インターフェース部２３へ出力する。
【００１８】
代替周波数設定部２２３は、混信があったときに操作される送信周波数変更ボタン２０、および送信周波数変更指示部２４から出力される送信周波数変更指示情報に基づき、内蔵メモリ（不図示）に蓄積された代替周波数データの一つを選択し、その代替周波数データを、ＲＤＳ放送用のフォーマットに定義されたＥＯＮデータとしてフォーマットエンコード部２２２に出力する。
【００１９】
図３は、この発明の実施の形態１にかかわるＦＭ多重放送受信装置における携帯機器制御情報の表示方法の各工程における動作を説明するために引用したフローチャートである。
以下、図３に示すフローチャートを参照しながら、この発明の実施の形態１にかかわるＦＭ多重放送受信装置における携帯機器制御情報の表示方法、および携帯機器用無線通信装置、ならびに各接続装置（携帯機器、ＦＭ多重放送受信装置）の動作について詳細に説明する。
【００２０】
まず、ユーザは、ポータブルオーディオ機器１のＰＬＡＹボタンを操作したものとし、ポータブルオーディオ機器１は、内蔵の記録媒体に保存された音楽データの再生を行う（ＳＴ３０１）。続いて、ポータブルオーディオ機器１は、ＭＰ３やＷＭＡ等、ポータブルオーディオ機器フォーマットに従い、上記したＰＬＡＹ等の制御情報を含む楽曲情報の表示情報（以下、コマンドデータという）を生成し（ステップＳＴ３０２）、ワイヤレス通信ユニット２に対し、生成されたコマンドデータと音声信号とを送信する（ステップＳＴ３０３）。
【００２１】
ワイヤレス通信ユニット２は、上記したコマンドデータと音声信号を、機器インタフェース部２１を介して取得し、また、混信があった場合にのみユーザの指示に基づき送信周波数変更指示部２４を介して送信周波数変更指示情報を取得し（ステップＳＴ３０４）、代替周波数設定部２２３により選択出力される現行の送信周波数を除いた代替周波数の一つのデータを取得する（ステップＳＴ３０９）。
このとき、コマンド変換部２２１は、機器インタフェース部２１により出力されるコマンドデータを、ＲＤＳ放送フォーマットの未定義コマンド領域に割り当て、ここで変換されたコマンドをフォーマットエンコード部２２２へ出力する（ステップＳＴ３０５）。
【００２２】
フォーマットエンコード部２２２は、コマンド変換部２２１により変換されたコマンドをＲＤＳ放送フォーマットに準拠するようにエンコードし、また、代替周波数設定部２２３により代替周波数データが設定された場合、その代替周波数データをＲＤＳのＡＦ機能やＥＯＮ機能を用い（ステップＳＴ３１０）、ここではＥＯＮコマンドを生成してエンコードを行い、それぞれ受信機インタフェース部２３へ出力する（ステップＳＴ３０６）。
受信機インタフェース部２３は、フォーマットエンコード部２２２により出力されたデータを、ＦＭ変調された音声信号にＲＤＳの規格に従って合成し（ステップＳＴ３０７）、ＦＭ変調してアンテナ（不図示）を介してＲＤＳ対応車載ラジオ受信機３へ送信する（ステップＳＴ３０８）。
【００２３】
次に、ＲＤＳ対応車載ラジオ受信機３は、このＦＭ電波を受信したとき（ステップＳＴ３１１“ＹＥＳ”）、ＦＭ信号の復調を行い（ステップＳＴ３１２）、ＲＤＳフォーマットに従いエンコードされたデータと音声信号とを分離し（ステップＳＴ３１３）、音声信号をスピーカ（不図示）に供給して音声出力（再生）する（ステップＳＴ３１４“音声”、ステップＳＴ３２０）
【００２４】
一方、ＲＤＳフォーマットに従うコマンドデータは、ＲＤＳ対応車載ラジオ受信機３内蔵のデコーダ（不図示）により復号処理され（ステップＳＴ３１５）、楽曲情報等のテキストデータと、制御情報を示すコマンドデータとに分離される（ステップＳＴ３１６）。ここで分離されたテキストデータは、楽曲情報としてＬＣＤディスプレイ３００上に表示され（ステップＳＴ３１７“テキスト”、ステップＳＴ３１８）。
また、コマンドデータは、そのコマンドデータに対応して、例えば、ＰＬＡＹランプ（インジケータ３０）を点灯させ、あるいは、ＬＣＤディスプレイ３００上に、再生経過等に関して、エレベータアイコン等模式的な図形により点滅表示させる等の動作を行わせる。この表示、および動作により、現在の再生状態をユーザに注視させることなく、直感的に知らしめることができる（ステップＳＴ３１７“コマンドデータ”、ステップＳＴ３１９）。
【００２５】
なお、上記した表示は、テキスト表示以外に簡易動画表示も考えられ、これらアプリケーションの制御は、ＲＤＳフォーマットの未定義コマンド領域の容量に依存する。
また、音声再生の結果、混信等により音質が悪いと判断したユーザは、送信周波数変更ボタン２０を操作することにより、代替周波数が自動的にＲＤＳ対応車載ラジオ受信機３に送信されるため、ワイヤレス通信ユニット２の送信周波数の変化に追従してＲＤＳ対応車載ラジオ受信機３の受信周波数を制御できるようになる。したがって、ポータブルオーディオ機器１が元々持つ高音質の再生が他の放送電波と混信することなく実現でき、また、この混信時の修正動作はワンタッチ操作で実現できるため、運転に悪影響を及ぼすことはない。
【００２６】
実施の形態２．
図４は、この発明の実施の形態２にかかわる携帯機器用無線通信装置の接続構成の一例を説明するために引用したブロック図である。
図１に示す実施の形態１との差異は、ポータブルオーディオ機器１とワイヤレス通信ユニット２との接続がケーブル４によらず、ポータブルオーディオ機器１とワイヤレス通信ユニット２とを直結し、一体構成したことにある。このため、ここでは、ポータブルオーディオ機器１を携帯機器本体と称し、ワイヤレス通信機器２とは区別して説明する。携帯機器本体（ポータブルオーディオ機器１）は、例えば、ＭＰ３やＷＭＡ等のポータブルオーディオ機器フォーマットに準拠した音声信号とコマンドデータを、直結されたワイヤレス通信ユニット２に直接転送する。ワイヤレス通信ユニット２は、上記した音声信号とコマンドデータを取得し、コマンドデータをＲＤＳ放送用フォーマットの未定義コマンド領域に割り当てたコマンドに変換し、放送用フォーマットにエンコードする。そして、音声信号と、エンコードデータとを合成してＦＭ変調を行い、ＦＭ多重放送受信装置３へ無線送信する。
なお、上記した実施の形態２によれば、携帯機器本体（ポータブルオーディオ機器１）と、ワイヤレス通信ユニット２は直結されるが、他の構成は、実施の形態１と同様であり、ＦＭ多重放送受信装置における携帯機器制御情報の表示方法の各工程における動作も、図２、図３に示すそれぞれと同様である。上記構成とすることで、接続ケーブル４を不要とし、接続ケーブル４によるノイズの発生を抑えることができ、また、コンパクト化が可能である。
【００２７】
なお、実施の形態２の応用として、携帯機器本体（ポータブルオーディオ機器１）とワイヤレス通信ユニット２とを無線接続することも考えられる。
この場合、ポータブルオーディオ機器１およびワイヤレス通信ユニット２の機器インタフェース部２１には、赤外線やＢｌｕｅ  Ｔｏｏｔｈ等、近距離無線通信のための回路が付加されるが、ワイヤレス通信ユニット２を単体機器として販売する場合に、有線接続以外のオプション接続による柔軟な接続構成を実現でき、他との差別化が可能となる。
【００２８】
以上説明のように、上記した実施の形態１、実施の形態２によれば、ポータブルオーディオ機器１の、ＰＬＡＹ、ＳＴＯＰ、ＳＥＥＫ  ＵＰ／ＤＯＷＮ等の制御情報を含む操作コマンドを、ワイヤレス通信ユニット２により、ＲＤＳの未定義命令コードを利用してエンコードし、ＲＤＳ対応車載ラジオ受信機３に送信している。
したがって、ポータブルオーディオ機器１の制御情報をＲＤＳ対応車載ラジオ受信機３に表示することができ、ポータブルオーディオ機器１の制御情報をＲＤＳ対応車載ラジオ受信機３の比較的大きなディスプレイで見ることが出来る。また、ＲＤＳの未定義命令コードを利用してＲＤＳフォーマットを拡張し、ポータブルオーディオ機器１との接続を実現しているため、新規のフォーマットを開発して利用するよりも、ワイヤレス通信ユニット２を低コストで容易に開発可能になる。更に、ＲＤＳフォーマットの未定義命令コードを利用して拡張しているため、従来のＲＤＳ対応車載ラジオ受信機３とは互換性を維持しながら、上位互換フォーマットとして扱うことが可能である。
【００２９】
また、上記した実施の形態１、および実施の形態２によれば、ＲＤＳ対応車載ラジオ受信機３が本来持つＡＦ機能またはＥＯＮ機能を利用して、受信周波数と送信周波数を適切な周波数に制御している。具体的に、ワイヤレス通信ユニット２の送信周波数近傍にラジオ放送局の電波が存在する場合（混信が認められた場合）、ユーザが送信周波数変更ボタンをワンタッチ操作するだけで、ワイヤレス通信ユニット２の送信周波数を他の混信のない周波数に自動設定するとともに、ＡＦ機能やＥＯＮ機能を利用してＲＤＳ対応車載ラジオ受信機３の受信周波数も追従して変更でき、したがって、運転に悪影響を与えることはない。
【００３０】
なお、上記した実施の形態１、実施の形態２によれば、ＦＭ多重放送受信装置として、欧州で普及しているＲＤＳ対応車載ラジオ受信機３のみ例示したが、他に、米国におけるラジオブロードキャストデータシステム（ＲＢＤＳ）、デジタルオーディオブロードキャスティング（ＤＡＢ）等、放送フォーマットに未定義命令コード領域があって、代替周波数に対して追従機能を持つＦＭ多重放送受信装置であれば代替が可能である。
また、上記した実施の形態１、実施の形態２によれば、携帯機器として、ポータブルオーディオ機器のみ例示したが、ＭＤプレーヤ等のオーディオ機器、あるいはＡＶ（Audio Visual）機能を備えた携帯電話端末でも代替が可能である。
【００３１】
また、上記した実施の形態１、実施の形態２によれば、混信の有無をユーザが判断し、送信周波数変更ボタン２０を操作することにより、送信周波数変更指示情報を生成する構成としたが、ワイヤレス通信ユニット２に混信検出器（不図示）を内蔵させ、混信検出器が混信を自動検知して送信周波数変更指示情報（信号）を生成し、制御部２２の代替周波数設定部２２３を起動させるように構成してもよい。
【００３２】
なお、この発明にかかわる携帯機器用無線通信装置（ワイヤレス通信ユニット２）は、実施の形態１、実施の形態２ともに、機器インタフェース部２１と、制御部２２と、受信機インタフェース部２３で構成されることとしたが、これらは、少なくとも一部、あるいは全てがマイコンにより実現されるものであり、マイコンが、内蔵のメモリに記録されたプログラムを逐次読み出し、周辺ＬＳＩを制御することにより、ポータブルオーディオ機器１から出力される携帯機器用フォーマットに準拠した音声信号とコマンドデータとを取得し、コマンドデータを自身の放送用フォーマットの未定義コマンド領域に割り当てたコマンドに変換して放送用フォーマットにエンコードし、音声信号と、エンコードデータとを合成してＦＭ変調を行い、車載ラジオ受信機３へ送信する動作を実行するものである。
ここで、周辺ＬＳＩとは、ポータブルオーディオ機器１、あるいはＲＤＳ対応車載ラジオ受信機３と接続するための入出力ポートをいう。
【００３３】
以上、この発明の各実施の形態につき図面を参照して詳述したが、具体的な構成はこの実施の形態に限られるものではなく、この発明の要旨を逸脱しない範囲の設計等も含まれる。
【図面の簡単な説明】
【００３４】
【図１】この発明の実施の形態１にかかわる携帯機器用無線通信装置の接続構成の一例を説明するために引用したブロック図である。
【図２】この発明の実施の形態１にかかわる携帯機器用無線通信装置の全体構成を説明するために引用したブロック図である。
【図３】この発明の実施の形態１にかかわるＦＭ多重放送受信装置における携帯機器制御情報の表示方法の各工程における動作を説明するために引用したフローチャートである。
【図４】この発明の実施の形態２にかかわる携帯機器用無線通信装置の接続構成の一例を説明するために引用したブロック図である。
【符号の説明】
【００３５】
１  ポータブルオーディオ機器（携帯機器）、２  ワイヤレス通信ユニット（携帯機器用無線通信装置）、３  ＲＤＳ対応車載ラジオ受信機（ＦＭ多重放送受信装置）、４  接続ケーブル、２０  送信周波数変更ボタン、２１  機器インタフェース部（第１のインタフェース手段）、２２  制御部（制御手段）、２３  受信機インタフェース部（第２のインタフェース手段）、２４  送信周波数変更指示部、３０  インジケータ、３００  表示デバイス。
【図１】
2008017326.tif 000003
【図２】
2008017326.tif 000004
【図３】
2008017326.tif 000005
【図４】
2008017326.tif 000006